(57)【要約】      （修正有）【課題】一般の上衣と同様にして着用することにより多数のマグネットを、肩や背中を中心とする上半身全体に当接させることができ、痛感を生じさせることなく、上半身全体の血行を促進して有効な磁気治療効果が得られる上衣型磁気治療器を提供する。   【解決手段】上衣形状を呈していて、その全体に亘って小粒の永久磁石３を包蔵したマグネットカプセル２が配設されている。マグネットカプセルは、肩部から背中部にかけて密に配置される。マグネットカプセルは、永久磁石を収納した容部４と、容部を嵌装する環状受け部５とから成り、容部４はマグネットカプセル定着部の生地６を挟んで環状受け部５内に嵌入することにより、容部の底面を内側にしてマグネットカプセル定着部に固定される。【選択図】図４
0003208572.tif 000002
【実用新案登録請求の範囲】
【請求項１】
上衣形状を呈していて、その全体に亘って小粒の永久磁石を包蔵したマグネットカプセルが配設されていることを特徴とする上衣型磁気治療器。
【請求項２】
前記マグネットカプセルは肩部から背中部にかけて密に配置されている、請求項１に記載の上衣型磁気治療器。
【請求項３】
前記マグネットカプセルは、永久磁石を収納した容部と、前記容部を嵌装する環状受け部とから成り、前記容部は、前記マグネットカプセル定着部の生地を挟んで前記環状受け部内に嵌入することにより、前記容部の底面を内側にして前記マグネットカプセル定着部に固定されている、請求項１又は２に記載の上衣型磁気治療器。
【考案の詳細な説明】
【技術分野】
【０００１】
本考案は、上衣型磁気治療器に関するものであり、より詳細には、一般のベストや長袖シャツ等の上衣と同様にして着用することにより、上半身の血行を促進して磁気治療を行うことができる上衣型磁気治療器に関するものである。
【背景技術】
【０００２】
身体に着用して磁気治療を行う磁気治療器としては、腰保護用ベルトやひざサポーター等が多く出回っているが、上半身、特に肩や背中の磁気治療を行うためのものとしては、小さな永久磁石を円形等の絆創膏の中心に粘着したものであって、患部に貼り付けて使用するタイプの磁気治療器が一般的である。
【０００３】
言うまでもなく、有効な磁気治療効果は、多数の永久磁石を用いることによって得られるが、貼り付けタイプの磁気治療器の場合は、１つずつ患部に貼り付ける必要があるため、多数貼り付けるには手間がかかり、また、このタイプの磁気治療器は使い捨てであって恒久的使用ができないため、多数用いる場合にはコスト的にも問題がある。更に、この貼り付けタイプの磁気治療器は、直接肌に貼り付けるものであるため、粘着部がかぶれたりするおそれがあり、肌が弱い人には不向きである。
【０００４】
また、シャツの内面に複数の永久磁石を定着した磁気治療用シャツの提案がある（引用文献１：実開平０７−２１０６０号公報）。しかし、この提案にかかるシャツは、磁気治療効果と共に指圧効果を得ることを企図したもので、必然的に永久磁石が大きなものとなるため、人によっては、あるいは、着方によっては痛さを感じるものとなり、心地よい状態で磁気治療を行うことができない。
【先行技術文献】
【特許文献】
【０００５】
【特許文献１】実開平０７−２１０６０号公報
【考案の概要】
【考案が解決しようとする課題】
【０００６】
上述したように、従来肩や背中に用いられている磁気治療器である貼り付け型マグネットの場合は、１つずつ患部に貼り付ける必要があるために多数貼り付けるには手間がかかり、使い捨てであって恒久的使用ができないため、多数用いる場合にはコスト的にも問題があり、更に、この貼り付けタイプの磁気治療器は、直接肌に貼り付けるものであるため、粘着部がかぶれたりするおそれがあり、肌が弱い人には不向きであるという問題があった。また、シャツの内面に複数の永久磁石を定着した磁気治療用シャツの場合は、永久磁石が大きなものとなって、人によって、あるいは、着方によっては痛さを感じるものとなり、心地よい状態で磁気治療を行うことができないという問題があった。
【０００７】
本考案は、このような問題のない、即ち、一般の上衣と同様にして着用することにより、多数のマグネットを一度に肩や背中を中心とする上半身全体に当接させることができ、肌に貼り付けるものではないため、肌が弱い人であっても安心して使用でき、小さなマグネットがほぼ全体に配置されるために、痛感を覚えることなく、上半身全体の血行を促進して有効な磁気治療効果が得られる上衣型磁気治療器を提供することを課題とする。    
【課題を解決するための手段】
【０００８】
上記課題を解決するための請求項１に記載の考案は、上衣形状を呈していて、その全体に亘って小粒の永久磁石を包蔵したマグネットカプセルが配設されていることを特徴とする上衣型磁気治療器である。好ましくは、前記マグネットカプセルは、肩部から背中部にかけて密に配置される。
【０００９】
一実施形態においては、前記マグネットカプセルは、永久磁石を収納した容部と、前記容部を嵌装する環状受け部とから成り、前記容部は、前記マグネットカプセル定着部の生地を挟んで前記環状受け部内に嵌入することにより、前記容部の底面を内側にして生地の前記マグネットカプセル定着部に固定される。
【考案の効果】
【００１０】
本考案は上記のとおりであって、本考案に係る上衣型磁気治療器は、一般の上衣と同様にして着用することにより多数の小粒の永久磁石を、肩や背中を中心とする上半身全体に当接させることができ、直接肌に貼り付けるものではないため、肌が弱い人であっても安心して使用でき、用いられるマグネットカプセルは小さいものであるために痛感を覚えることなく着用でき、また、マグネットカプセルは上衣のほぼ全体に配置されるために、上半身全体の血行が促進されて有効な磁気治療効果が得られる効果がある。
【図面の簡単な説明】
【００１１】
【図１】本考案に係る上衣型磁気治療器の正面図である（ベスト）。
【図２】本考案に係る上衣型磁気治療器の正面図である（長袖シャツ）。
【図３】本考案に係る上衣型磁気治療器におけるマグネットカプセルの取り付け方法を示す正面図及び背面図である。
【図４】図３におけるＡ−Ａ線断面図である。
【考案を実施するための形態】
【００１２】
本考案を実施するための形態について、添付図面を参照しつつ詳細に説明する。本考案に係る上衣型磁気治療器１は、一般的なベスト（図１参照）や長袖シャツ（図２参照）等の上衣の形状を呈していて、その全体に亘って多数のマグネットカプセル２が配設されていることを特徴とするものである。マグネットカプセル２の配置は均一であってもよいが、血流が滞りやすい肩部から背中部にかけて密に配置するようにすることが好ましい（図１、２参照）。マグネットカプセル２は、例えば、図１に示すベストの場合は６６０個、図２に示す長袖シャツの場合は９００個とされる。
【００１３】
マグネットカプセル２は、小粒の永久磁石３（好ましくは、ネオジム磁石）を収納した容部４と、容部４を嵌装する環状受け部５（好ましくは、ポリアセタール樹脂製）とから成り、容部４は、マグネットカプセル２定着部の生地６を挟んで環状受け部５内に嵌入するカシメ止め法により、マグネットカプセル２定着部に固定される（図３、４参照）。マグネットカプセル２は、容部４の底面を内側にしてマグネットカプセル定着部に固定される。従って、マグネットカプセル２は、上衣型磁気治療器１の身体に当接する内側（図３の右側）に突出しないため、着用時に痛感が生ずるおそれはない。
【００１４】
本考案に係る上衣型磁気治療器は、上記のようにマグネットカプセル２がほぼ全体に配置された構成であるため、単に一般の上衣と同様の方法で着用するだけで、多数のマグネットカプセル２を、血流が滞りやすい肩や背中を中心とする上半身全体に当接させることができ、その当接部分に有効に磁気作用を及ぼすことができる。特に、マグネットカプセル２を、血流が滞りやすい肩部から背中部にかけて密に配置するようにした場合は、一層その効果を期待することができる。
【００１５】
また、本考案に係る上衣型磁気治療器の場合は、マグネットカプセル２を直接肌に貼り付けないため、肌が弱い人であっても安心して使用できる。また、マグネットカプセル２は、容部４をマグネットカプセル２定着部の生地６を挟んで環状受け部５内に嵌入することにより、簡単にカシメ止めすることができるので、多数のマグネットカプセル２を用いても、製造コストはそれ程嵩まない。
【符号の説明】
【００１６】
１      上衣型磁気治療器
２      マグネットカプセル
３      永久磁石
４      容部
５      環状受け部
６      生地
【図１】
0003208572.tif 000003
【図２】
0003208572.tif 000004
【図３】
0003208572.tif 000005
【図４】
0003208572.tif 000006